(57)【要約】 【課題】タンブラー錠に対する防犯構造を簡単に得ること。  【解決手段】外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記キーガイドの一部に、熱膨張性樹脂を一体に設けたことを特徴とするタンブラー錠の防犯構造。【選択図】図１
2008038466.tif 000002
【特許請求の範囲】
【請求項１】
外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記キーガイドの一部に、熱膨張性樹脂を一体に設けたことを特徴とするタンブラー錠の防犯構造。
【請求項２】
請求項１に於いて、キーガイドの内端面に凹所を形成し、この凹所に熱膨張性樹脂が固定されていることを特徴とするタンブラー錠の防犯構造。
【請求項３】
外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記仕切り板の少なくとも１枚の一部に、熱膨張性樹脂を一体に設けたことを特徴とするタンブラー錠の防犯構造。
【請求項４】
請求項３に於いて、仕切り板は、キーガイドに近い可動障害子の隣に位置付けられていることを特徴とするタンブラー錠の防犯構造。
【請求項５】
外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記キーガイド及び少なくとも１枚以上の仕切り板に、熱膨張性樹脂をそれぞれ一体に設けたことを特徴とするタンブラー錠の防犯構造。
【請求項６】
請求項５に於いて、可動障害子は、レバータンブラーであることを特徴とするタンブラー錠の防犯構造。
【請求項７】
キーガイド（内筒）の外側に外筒が外嵌合し、キーガイドと外筒にそれぞれ形成した複数個の収容部に内外の可動障害子がそれぞれ外筒の長さ方向に配設されているタンブラー錠の防犯構造に於いて、前記キーガイドの一部に、熱膨張性樹脂を一体に設けたことを特徴とするタンブラー錠の防犯構造。
【請求項８】
キーガイド（内筒）の外側に外筒が外嵌合し、キーガイドと外筒にそれぞれ形成した複数個の収容部に内外の可動障害子がそれぞれ外筒の長さ方向に配設されているタンブラー錠の防犯構造に於いて、前記外筒の一部に、熱膨張性樹脂を一体に設けたことを特徴とするタンブラー錠の防犯構造。
【発明の詳細な説明】
【技術分野】
【０００１】
本発明は、タンブラー錠の防犯構造に関し、特にドリル攻撃に対するタンブラー錠の防犯構造に関する。
【背景技術】
【０００２】
特許文献１乃至特許文献４には、可動障害子が円盤形式のディスクタンブラー錠が開示されている。これらの特許文献に記載のディスクタンブラー錠は、防犯構造や可動障害子の形状が若干相違するもの、基本的には、外筒の前方側に円盤状のキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられている。
【０００３】
ところで、例えば特許文献２は、少なくとも１枚のディスクタンブラー（可動障害子）の一方向の端部の隅部に切欠を形成することにより、該切欠に隣接する段部をディスクタンブラーがシャーラインに整合したものと誤認させ得るように構成し、不正解錠を防止しようとするものであるが、不正手段の道具として、いわゆるドリルを用いられた場合には、ドアの開放を防止することができない。そこで、現在、作動ピン形式のピンタンブラー錠、円盤形式のディスクタンブラー錠、鉤状形式のレバータンブラー錠などのタンブラー錠に対する防犯構造の出現が期待されている。
【特許文献１】特開２００４−３６１２４号公報
【特許文献２】特開２００２−１２９７８６号公報
【特許文献３】特開平１１−３１５６５５号公報
【特許文献４】特開平１１−２１０２８１号公報
【発明の開示】
【発明が解決しようとする課題】
【０００４】
本発明の所期の目的は、タンブラー錠に対する防犯構造を簡単に得ることである。第２の目的は、ドアの開放を防止することである。第３の目的は、ドリル攻撃に対して、防犯機能を十分に発揮させることができることである。
【課題を解決するための手段】
【０００５】
本発明のタンブラー錠の防犯構造は、外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記キーガイドの一部に、熱膨張性樹脂を一体に設けたことを特徴とする。
【０００６】
また、本発明のタンブラー錠の防犯構造は、外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記仕切り板の少なくとも１枚の一部に、熱膨張性樹脂を一体に設けたことを特徴とする。
【０００７】
また、本発明のタンブラー錠の防犯構造は、外筒の前方側にキーガイドが回転可能に装着され、一方、外筒の後方側にテールピース部材が回転可能に装着され、このテールピース部材とキーガイドとの間に複数枚の可動障害子と仕切り板とが互いに隣接するように外筒の長さ方向に並べられているタンブラー錠の防犯構造に於いて、前記キーガイド及び少なくとも１枚以上の仕切り板に、熱膨張性樹脂をそれぞれ一体に設けたことを特徴とする。
【０００８】
また、本発明のタンブラー錠の防犯構造は、キーガイド（内筒）の外側に外筒が外嵌合し、キーガイドと外筒にそれぞれ形成した複数個の収容部に内外の可動障害子がそれぞれ外筒の長さ方向に配設されているタンブラー錠の防犯構造に於いて、前記キーガイドの一部に、熱膨張性樹脂を一体に設けたことを特徴とする。
【０００９】
さらに、キーガイド（内筒）の外側に外筒が外嵌合し、キーガイドと外筒にそれぞれ形成した複数個の収容部に内外の可動障害子がそれぞれ外筒の長さ方向に配設されているタンブラー錠の防犯構造に於いて、前記外筒の一部に、熱膨張性樹脂を一体に設けたことを特徴とする。
【発明の効果】
【００１０】
（１）熱膨張性樹脂を用いたから、タンブラー錠に対する防犯構造を簡単に得ることができる。
（２）ドリル攻撃による回転摩擦の熱により、熱膨張樹脂が、例えばシリンダー（外筒）の内で膨張することから、熱膨張した樹脂が可動障害子を覆うように、或いは障害物となるように、隙間部分や鍵穴に入り込む。したがって、ドリル攻撃による可動障害子等の破壊を極力防止することができると共に、錠前の解錠機能が働かなくなることから、ドアの開放を防止することができる。
（３）請求項５に記載の発明は、ニ以上の部品に熱膨張性樹脂を設けたので、ドリル攻撃に対して、防犯機能を十分に発揮させることができる。
【発明を実施するための最良の形態】
【００１１】
以下、図１乃至図５に示す本発明を実施するための最良の形態により説明する。
【００１２】
（１）発明の実施の環境―公知事項
図１は鉤状形式のレバータンブラー錠Ｘの基本的構成を示す概略説明図である。このレバータンブラー錠Ｘのキーガイド２と仕切り板８に新規事項が存在する。ここでは、レバータンブラー錠Ｘの公知事項を簡単に説明する。
【００１３】
レバータンブラー錠Ｘは、後述する第２実施例の円盤形式のディスクタンブラー錠と共に、「ロータリー式タンブラー錠」の類型に属する。このレバータンブラー錠Ｘの基本的構成に関しては公知なので、図面上の細部的事項や自明事項の説明は割愛する。
【００１４】
まず、図１を参照にして、レバータンブラー錠Ｘの基本的構成を説明する。１は外筒（シリンダー）で、この外筒１は、複数枚の仕切り板、複数枚のレバータンブラー等を交互に収納することができるように長筒状に形成されている。
【００１５】
２は円盤状のキーガイドで、このキーガイド２は外筒１の前方側に回転可能に装着され、その中央部には図２、図３で示すように対称形状の鍵孔３が形成されている。
【００１６】
一方、４は外筒１の後方側に回転可能に装着されたテールピース部材で、このテールピース部材４と前記キーガイド２との間には、支軸５とバックアップ棒（規制棒）がそれぞれ横設軸架されている。図１または図４を基準にすると、上方に位置する水平棒が鉤状レバータンブラー７の基端部を軸支する横軸としての支軸５である。
【００１７】
これに対して、下方に位置するのが仕切り板８を貫通し、かつ、前記レバータンブラー７に対してストッパー機能を有する規制棒としてのバックアップ棒６である。
【００１８】
図５で示すように、仕切り板８は円盤形状に形成され、その中央部にキーガイド２の鍵孔３と同一形状の鍵孔９を有している。レバータンブラー７及び仕切り板８の各枚数は特に限定するものではないが、レバータンブラー錠Ｘは、キーガイド２とテールピース部材４と間に、例えば７乃至９枚程度互いに隣接するように外筒１の長さ方向に並べられている（図１）。
【００１９】
ところで、テールピース部材４は、その中心部にテールピース４ａを有している。このテールピース４ａは、所定の条件を満たしたときにユニット構造のキーガイド２ないしテールピース部材４と共に、所定量回転する。
【００２０】
すなわち、テールピース４ａは、図示しない合鍵をレバータンブラー錠Ｘの各鍵孔３，９に差込み、レバータンブラー７の外側に位置している横板状のロッキングバー１１がレバータンブラー７及び仕切り板８の各逃がし部分７ａ，８ａへと移動可能な状態になると、合鍵の操作力によって、キーガイド２ないしテールピース部材と共に回転する。
【００２１】
したがって、レバータンブラー７は、ピンタンブラー錠の作動ピンやディスクタンブラー錠の円盤と同様に可動障害子に相当する。その他レバータンブラー錠Ｘは、タンブラーバネ１３を備える点、外筒１の軸方向内周にロッキングバー１１用の係合溝を有する点などの構成を有しているが、自明事項なので、詳細な説明を割愛する。
【００２２】
（２）新規事項
図１乃至図５は、本発明の第１実施例を示す各説明図である。図３は、本発明の第１特徴点を示す。それはキーガイド２の一部に、熱膨張性樹脂１５を一体に設けたことである。この熱膨張性樹脂１５は、キーガイド２の内端面２ａに凹所１４を形成し、この凹所１４に熱膨張性樹脂１５が固定（例えば注入）されている。
【００２３】
図２及び図３にキーガイド２の具体的構成を示す。３は鍵孔で、この鍵孔３は、中央の直線部分３ａと、この中央の直線部分３ａに連設する左右の屈曲部分３ｂ，３ｂとを有している。また、１６は支軸用の第１支持孔、１７はバックアップ棒６の第２支持孔、１８は支持球１９用の装着孔である。
【００２４】
本実施例では、キーガイド２の外端面２ｂから図示しないドリル攻撃があった場合に於いて、熱膨張性樹脂１５は、ドリルの回転摩擦の熱により、シリンダー（外筒）１の空間（可動障害子側）へと膨張するように、凹所１４は内端面２ａから外端面２ｂに向かって所要量削りとられている。
【００２５】
付言すると、キーガイド２の空洞内面（凹所）１４から膨張して食み出た樹脂部分は、可動障害子７を覆うように隙間部分に入り込む。凹所１４の形状は、特に限定するものではなく、円形、角形、弧状等である。
【００２６】
熱膨張性樹脂１５の具体例を列挙すると、ＰＰ、ＰＥ系樹脂、ポリブテン系樹脂、ポリペンテン系樹脂、ＰＳ系樹脂、ＡＢＳ系樹脂、ポリカーボネート系樹脂、ポリフェニレンエーテル系樹脂、ポリアミド系樹脂、アクリル系樹脂、ポリ塩化ビニル系樹脂などである。
【００２７】
次に、図５は、本発明の第２特徴点を示す。それは単数または複数の仕切り板８の少なくとも１枚の一部に、熱膨張性樹脂１５Ａを一体に設けたことである。前述したように仕切り板８にも鍵孔９が形成されているが、この鍵孔９と上方の支軸用貫通孔２１の間に横長状の取り付け部１４Ａを形成し、この取り付け部１４Ａに熱膨張性樹脂１５Ａを一体に固定している。
【００２８】
なお、鍵孔９と逃がし８ａとの間には、バックアップ棒６の貫通孔２２が形成されている。また、前記取り付け部１４Ａは一箇所であるが、もちろん、複数個設けても良い。さらに、望ましくは、仕切り板８は、キーガイド２に近い可動障害子の隣に位置付けられている。
【実施例】
【００２９】
発明の実施の形態で示した実施例は、レバータンブラー錠Ｘであるが、ロータリー式タンブラー錠Ｘ１であっても良い。念のために、図６及び図７にロータリー式タンブラー錠Ｘ１に適用した第２実施例を示す。なお、タンブラー錠Ｘ１のキーガイドは第１実施例と同一なので割愛する。また、同一の部分には同一の符号を付して、重複する説明を省略する。
【００３０】
図６と図４を比較すると明らかなように、可動障害子７Ａがディスクタンブラーである点が第１実施例と異なり、その余の構成は全く同一である。可動障害子７Ａはディスクタンブラーであることから、鍵挿通口２５を有している。このロータリー式タンブラー錠Ｘ１の仕切り板８Ａの形状は任意に設計変更することができるが、例えば円形であり、鍵孔９Ａと支軸用貫通孔２１Ａとの間に横長状の取り付け部１４Ａを形成し、この取り付け部１４Ａに熱膨張性樹脂１５Ａを一体に固定している。したがって、第１実施例の仕切り板８の構成と同一である。
【００３１】
また、本発明は、ピンタンブラー錠にも当然適用することができる。図８乃至図１０は、ピンタンブラー錠に適用した一例（第３実施例）である。この第３実施例のピンタンブラー錠Ｘ２も、第１実施例及び第２実施例と同様に可動障害子に対して熱膨張性樹脂を設けている。すなわち、内外の収容部３１、３２にそれぞれ収容された内外の可動障害子７Ｂ，７Ｃに対して、キーガイド（内筒）２Ｂと外筒１Ｂの取付け部１４Ｂ、１４Ｂにそれぞれ熱膨張性樹脂１５Ｂ、１５Ｂを固定している。
【００３２】
図８では、説明の便宜上、ピンタンブラー錠Ｘ２の内部構造を簡単に示したものであるが、周知のように、ピンタンブラー錠Ｘ２は、キーガイド２Ｂに複数の内筒ピンタンブラー７Ｂが不番のコイルばね共に半径方向に移動可能に収容されている。一方、キーガイド２Ｂの外側に外筒１Ｂが外嵌合している。そして、合鍵をキーガイド２Ｂの鍵穴３への挿入するとこにより、いわゆるシャーラインに内外の可動障害子７Ｂ，７Ｃ一致させて解錠を行なう構造である。
【００３３】
であるから、可動障害子７Ｂ，７Ｃのそれぞれの収容部３１、３２に対して開口する取付け部（凹所）１４Ｂ、１４Ｂを外筒１Ｂ及びキーガイド２Ｂにそれぞれ形成し、これらの凹所１４Ｂ、１４Ｂに熱膨張性樹脂１５Ｂをそれぞれ注入している。
【００３４】
これに対して、図１１乃至図１３は、ピンタンブラー錠に適用した他の例（第４実施例）である。なお、この第４実施例には、説明の便宜上、前記第３実施例で説明した符号をそのまま援用し、重複する説明を割愛する。
【００３５】
この第４実施例のピンタンブラー錠Ｘ３が前記第３実施例のピンタンブラー錠Ｘ２と主に異なる点は、外筒１Ｂの鍵穴３に臨むように取付け部（凹所）１４Ｃを形成し、この取付け部１４Ｃに熱膨張性樹脂１５Ｃを固定（注入）している。第４実施例では、熱膨張性樹脂１５Ｃの位置は、キーガイド２Ｂの収容部３１に臨むものではないことから、内の可動障害子７Ｂに対して間接的である。しかし、熱膨張性樹脂１５Ｃが膨張すると、鍵穴３へと膨張した樹脂を介して内の可動障害子７Ｂに影響を与えることから、結局、熱膨張性樹脂１５Ｃが邪魔となり、シャーラインに内の可動障害子７Ｂを一致させて解錠を行なうことができない。
【産業上の利用可能性】
【００３６】
本発明は、主に建具や錠前の業界で利用される。
【図面の簡単な説明】
【００３７】
図１乃至図５は本発明の最良の実施例を示す各説明図、図６及び図７は本発明の第２実施例示す各説明図、図８乃至図１０は本発明の第３実施例示す各説明図、図１１乃至図１３は本発明の第４実施例示す各説明図。
【図１】第１実施例の概略断面説明図。
【図２】正面視からの説明図。
【図３】キーガイドの構造を示す概略説明図。
【図４】外筒の内部構造を示す概略説明図。
【図５】第１実施例の仕切り板の概略説明図。
【図６】第２実施例の外筒の内部構造を示す概略説明図。
【図７】第２実施例の仕切り板の概略説明図。
【図８】第３実施例の概略断面説明図。
【図９】第３実施例の内部構造を示す概略説明図。
【図１０】第３実施例の内部構造を示す概略説明図。
【図１１】第４実施例の概略断面説明図。
【図１２】第４実施例の内部構造を示す概略説明図。
【図１３】第４実施例の内部構造を示す概略説明図。
【符号の説明】
【００３８】
Ｘ、Ｘ１…タンブラー錠、1，１Ｂ…外筒（シリンダー）、２，２Ｂ…キーガイド、２ａ…内端面、２ｂ…外端面、３…キーガイドの鍵孔、４…テールピース部材、４ａ…テールピース、５…支軸、６…バックアップ棒、７，７Ａ，７Ｂ，７Ｃ…可動障害子、８、８Ａ…仕切り板、９、９Ａ…仕切り板の鍵孔、１１…ロッキングバー、１３…タンブラーバネ、１４，１４Ｂ，１４Ｃ…凹所（空洞内面）、１４Ａ…取り付け部、１５、１５Ａ…熱膨張性樹脂、２１、２１Ａ…支軸用貫通孔、２５…鍵挿通口、３１，３２…収容部。
【図１】
2008038466.tif 000003
【図２】
2008038466.tif 000004
【図３】
2008038466.tif 000005
【図４】
2008038466.tif 000006
【図５】
2008038466.tif 000007
【図６】
2008038466.tif 000008
【図７】
2008038466.tif 000009
【図８】
2008038466.tif 000010
【図９】
2008038466.tif 000011
【図１０】
2008038466.tif 000012
【図１１】
2008038466.tif 000013
【図１２】
2008038466.tif 000014
【図１３】
2008038466.tif 000015